(57)【要約】【課題】住宅等の躯体に形成された枠体に、作業性よく、また、気密性よく取付けることが可能な壁パネルの気密構造を提供する。【解決手段】躯体に形成された枠体に嵌め込まれる壁パネルにおいて、該壁パネル３の上面、下面、左右側面の４面上の直線部に直線ガスケット部材１を設け、角部に４個のＬ字型のコーナーガスケット部材２を設けて、上記壁パネル３の全外周面を囲むとともに、上記コーナーガスケット部材２と直線ガスケット部材１との端部どうしを接合してなる壁パネルの気密構造。【選択図】図１
2005226405.tif 000002
【特許請求の範囲】
【請求項１】
躯体に形成された枠体に嵌め込まれる壁パネルにおいて、該壁パネルの上面、下面、左右側面の４面上の直線部に直線ガスケット部材を設け、角部に４個のＬ字型のコーナーガスケット部材を設けて、上記壁パネルの全外周面を囲むとともに、上記コーナーガスケット部材と直線ガスケット部材との端部どうしを接合してなる壁パネルの気密構造。
【請求項２】
上記直線ガスケット部材とコーナーガスケット部材とを軟質樹脂から形成するとともに、直線ガスケット部材とコーナーガスケット部材との端部どうしを突き合わせて接合してなる請求項１に記載の壁パネルの気密構造。
【請求項３】
上記直線ガスケット部材とコーナーガスケット部材とを軟質樹脂から形成するとともに、上記コーナーガスケット部材の端部を２本の直線ガスケット部材で挟み込んで接合してなる請求項１に記載の壁パネルの気密構造。
【請求項４】
上記直線ガスケット部材を中空の軟質樹脂系パッキンから形成するとともに、軟質樹脂から形成されたコーナーガスケット部材の両端部を上記中空部に挿入してなる請求項１に記載の壁パネルの気密構造。
【請求項５】
上記コーナーガスケット部材を軟質樹脂から形成するとともに、両端部に挿入孔を穿ち、この挿入孔に中空の軟質樹脂系パッキンから形成された直線ガスケット部材の端部を挿入してなる請求項１に記載の壁パネルの気密構造。
【発明の詳細な説明】
【技術分野】
【０００１】
本発明は、壁パネルに関する。さらに詳しくは、断熱パネルや遮音パネル等の壁パネルを、躯体に形成された枠体に嵌め込んで使用する壁パネルの気密構造に関する。
【背景技術】
【０００２】
従来、住宅等の躯体に、上枠を梁、下枠を土台とし、左右枠を間柱から形成された枠体に断熱パネルや遮音パネル等の壁パネルを嵌め込むとともに、気密性を保つ構造が知られている。上記構造においては、施工の際に、土台と梁、あるいは左右柱間に寸法精度のバラツキがあっても壁パネルが取付けられるように、通常、上記枠体をやや大きめに形成し、クリアランス（隙間）が設けられている。しかし、この隙間によって気密性が低下するため、壁パネルの上面、下面、左右両側面の４面に軟質樹脂系のひれ状パッキン部材や中空パッキン部材等のガスケットを設けて隙間を埋め、気密性を確保することが行われている。
【特許文献１】特開平１０−１８３８０２号公報（第１頁、第４図、第７図）
【特許文献２】特開２００１−９０２２１号公報（第１−３頁、第１〜３図）
【特許文献３】特開平１０−３２５１９４号公報（第１−３頁、第１〜３図）
【発明の開示】
【発明が解決しようとする課題】
【０００３】
上記軟質樹脂系のひれ状パッキン部材や中空パッキン部材等のガスケットは、通常、壁パネルの上下、左右の４面上に接着や埋め込みにより取付けられ、角部で約４５°の角度で突き合わされているが、嵌め込んで施工するときにこれらが脱離することがしばしばあり、また、嵌め込むことが可能であっても、上記ガスケットがたるんで取付けられたり、隙間があくという問題がある。とくに、角部では、嵌め込み時の抵抗が大きいため、上記接着部や埋め込み部が分離し易く、上記の問題が顕著に表れる。そこで、本発明はこのような問題を解決して、住宅等の躯体に形成された枠体に、作業性よく、また、気密性よく取付けることが可能な壁パネルの気密構造を提供することを、その課題とする。
【課題を解決するための手段】
【０００４】
上記課題を解決するために、本発明においては、つぎのような技術的手段を講じている。すなわち、本発明によれば、躯体に形成された枠体に嵌め込まれる壁パネルにおいて、該壁パネルの上面、下面、左右側面の４面上の直線部に直線ガスケット部材を設け、角部に４個のＬ字型のコーナーガスケット部材を設けて、上記壁パネルの全外周面を囲むとともに、上記コーナーガスケット部材と直線ガスケット部材との端部どうしを接合してなる壁パネルの気密構造が提供される。壁パネルとしては、例えば、合板に押し出し法ポリスチレンフォーム、ビーズ法ポリスチレンフォーム、硬質ウレタンフォーム、フェノールフォーム等の断熱材を貼着して断熱層とした断熱パネルがあげられる。
【０００５】
上記直線ガスケット部材とコーナーガスケット部材とを軟質樹脂から形成するとともに、直線ガスケット部材とコーナーガスケット部材との端部どうしを突き合わせて接合し、壁パネルの気密構造とすることが好ましい。このとき、上記接合部に接着剤を塗布して貼り合わせることにより、さらに好ましい結果を得ることができる。
【０００６】
上記直線ガスケット部材とコーナーガスケット部材とを軟質樹脂から形成するとともに、上記コーナーガスケット部材の端部を２本の直線ガスケット部材で挟み込んで接合し、壁パネルの気密構造とすることが好ましい。いずれの場合も、軟質樹脂としては軟質発泡ウレタンフォーム、ＥＰＤＭ等、成型後もクッション性を有する合成樹脂が好ましく用いられる。
【０００７】
上記直線ガスケット部材を中空の軟質樹脂系パッキンから形成するとともに、軟質樹脂から形成されたコーナーガスケット部材の両端部を上記軟質樹脂系パッキンの中空部に挿入して壁パネルの気密構造とされる。このとき、上記コーナーガスケット部材の両端部を丸棒状に形成することが好ましい。
【０００８】
上記コーナーガスケット部材を軟質樹脂から形成するとともに、両端部に挿入孔を穿ち、この挿入孔に直線ガスケット部材の端部を挿入して壁パネルの気密構造とされる。このとき、Ｌ字型のコーナーガスケット部材を直線ガスケット部材の外径よりも大きな丸棒状の軟質樹脂から形成するとともに、両端部に上記挿入孔を穿つことが好ましい。いずれの場合も、軟質樹脂としては軟質発泡ウレタンフォーム、ＥＰＤＭ等、中空に成型し易く、成型後も十分な強度を有するとともに、クッション性を有する合成樹脂が好ましく用いられる。
【発明の効果】
【０００９】
請求項１に記載の発明は上記のとおりであり、壁パネルの全外周面を直線ガスケット部材とＬ字型のコーナーガスケット部材とで囲むとともに、コーナーガスケット部材と直線ガスケット部材との端部どうしが４つの角部でしっかりと接合されているため、住宅等の躯体に形成された枠体に壁パネルを作業性よく嵌め込むことができるとともに、気密性を良好に保つことができる。
【００１０】
上記直線ガスケット部材とコーナーガスケット部材とを軟質樹脂から形成するとともに、端部どうしを突き合わせ、好ましくは、上記接合部に接着剤を塗布して貼り合わせているため、ガスケットが脱離することなく、また、たるんだり、隙間があくという問題なく、上記枠体に気密性よく取付けることができる。
【００１１】
上記直線ガスケット部材とコーナーガスケット部材とを軟質樹脂から形成するとともに、上記コーナーガスケット部材の端部を２本の直線ガスケット部材で挟み込んで接合することにより、ガスケットが脱離することなく、また、たるんだり、隙間があくという問題なく、ガスケットが直線部では二重に、角部近傍においては三重とされているため、とくに、気密性よく上記枠体に取付けることができる。
【００１２】
上記コーナーガスケット部材の両端部が直線ガスケット部材の中空部に挿入されているため、躯体に形成された枠体に壁パネルに脱離することなく嵌め込むことができ、また、中空の軟質樹脂系パッキンと軟質樹脂系丸棒状コーナーガスケット部材が枠体と、壁パネルとの間にクッション性よく密着して気密性を良好に保つことができる。
【００１３】
上記コーナーガスケット部材の両端部に穿たれた挿入孔に、中空の軟質樹脂系パッキンから形成された直線ガスケット部材の端部が挿入されているため、上記と同様に、ガスケットが枠体と壁パネルとの間にクッション性よく密着して気密性を良好に保つことができる。
【発明を実施するための最良の形態】
【００１４】
以下、本発明の実施形態について図面を参照して、詳細に説明する。図１は、合板に硬質ウレタンフォームを断熱層として設けた壁パネル３の気密構造を示す正面図である。図１からよくわかるように、壁パネル３は、上枠４を梁、下枠５を土台とし、左右枠を間柱６とした枠体に嵌め込まれ、上記壁パネル３の上面、下面、左右側面の４面上の直線部には直線ガスケット部材１が接着されるとともに、これら直線ガスケット部材１の各端部は、角部に接着された４個のＬ字型のコーナーガスケット部材２によって接合され、かくして、壁パネル３の全外周面はガスケットによって囲まれ、気密構造が保たれている。以下実施例により、本発明の実施の形態をさらに詳細に説明する。
【実施例１】
【００１５】
図２は、実施例１にかかる壁パネルの気密構造を示す部分斜視図である。図２からよくわかるように、壁パネル３の角部には軟質樹脂を棒状に形成し、Ｌ字型としたコーナーガスケット部材２１が接着して取付けられ、その両端部は壁パネル３の上面と左側面にそれぞれ接着して取付けられた直線ガスケット部材１１の端部と突き合わせて接合するとともに、接合面Ｓは接着されている。かくして、直線ガスケット部材１１、コーナーガスケット部材２１が脱離することなく、また、たるんだり、隙間があくという問題なく、躯体に形成された枠体に壁パネル３を気密性よく取付けることができる。
【実施例２】
【００１６】
図３は、実施例２にかかる壁パネルの気密構造を示す部分斜視図である。図３からよくわかるように、壁パネル３の角部には軟質樹脂を棒状に形成し、Ｌ字型としたコーナーガスケット部材２２が接着して取付けられ、このコーナーガスケット部材２２の端部は、軟質樹脂から形成された２本の直線ガスケット部材１２ａ、１２ｂで挟み込んで接合されている。このように、直線部分を２本の直線ガスケット部材１２ａ、１２ｂで二重にシールし、角部近傍を三重にシールしているため、とくに、気密性を良好に保つことができる。
【実施例３】
【００１７】
図４（ａ）は、実施例３にかかる壁パネルの気密構造を示す部分正面図であり、図４（ｂ）は、図４（ａ）におけるＡ−Ａ線に沿う側断面図である。図４（ａ）、図４（ｂ）からよくわかるように、直線ガスケット部材１３は中空の軟質樹脂系パッキンから形成されるとともに、コーナーガスケット部材２３は丸棒形の軟質樹脂をＬ字型に形成し、コーナーガスケット部材２３の両端部は、直線ガスケット部材１３の中空部に挿入されている。このように、４つの角部で直線ガスケット部材１３とコーナーガスケット部材２３とがしっかりと接合されているため、クッション性のよい中空の軟質樹脂系パッキンが躯体に形成された枠体と壁パネルとの間に密着するとともに、軟質樹脂系丸棒状コーナーガスケット部材が角部に隙間をあけることなく密着し、気密性を良好に保つことができる。
【実施例４】
【００１８】
図５（ａ）は実施例４にかかる壁パネルの気密構造を示す部分正面図であり、図５（ｂ）は図５（ａ）におけるＢ−Ｂ線に沿う側断面図である。図５（ａ）、図５（ｂ）からよくわかるように、コーナーガスケット部材２４は、Ｌ字型に形成された丸棒状の軟質樹脂からなり、その両端部には挿入孔Ｈが穿たれている。この挿入孔Ｈに、中空の軟質樹脂系パッキンから形成された直線ガスケット部材１４の端部を挿入して壁パネルの気密構造とされるため、上記と同様に、上記枠体と壁パネル３との間に作業性よく嵌め込まれ、気密性を良好に保つことができる。
【図面の簡単な説明】
【００１９】
【図１】本発明にかかる壁パネルの気密構造を示す正面図である。
【図２】実施例１にかかる壁パネルの気密構造を示す部分斜視図である。
【図３】実施例２にかかる壁パネルの気密構造を示す部分斜視図である。
【図４】（ａ）実施例３にかかる壁パネルの気密構造を示す部分正面図である。（ｂ）図４（ａ）におけるＡ−Ａ線に沿う側断面図である。
【図５】（ａ）実施例４にかかる壁パネルの気密構造を示す部分正面図である。（ｂ）図５（ａ）におけるＢ−Ｂ線に沿う側断面図である。
【符号の説明】
【００２０】
１          直線ガスケット部材
２          コーナーガスケット部材
３          壁パネル
４          梁
５          土台
６          間柱
１１        実施例１における直線ガスケット部材
２１        実施例１におけるコーナーガスケット部材
Ｓ          実施例１における接合面
１２ａ      実施例２における直線ガスケット部材
１２ｂ      実施例２における直線ガスケット部材
２２        実施例２におけるコーナーガスケット部材
１３        実施例３における直線ガスケット部材
２３        実施例３におけるコーナーガスケット部材
１４        実施例４における直線ガスケット部材
２４        実施例４におけるコーナーガスケット部材
Ｈ          実施例４においてコーナーガスケット部材の端部に穿たれた挿入孔
【図１】
2005226405.tif 000003
【図２】
2005226405.tif 000004
【図３】
2005226405.tif 000005
【図４】
2005226405.tif 000006
【図５】
2005226405.tif 000007